(57)【要約】【課題】本発明は、内視鏡的粘膜切除を行う際に、内視鏡のキャップ部にループ部をルーピングする作業を簡便で確実に行うことができる高周波スネアと医療器具とその医療器具の組み付け方法を提供することを最も主要な特徴とする。【解決手段】ループ部５の先端部にループの平面５ａに対して交差する方向に突出させた先端突出部７を設け、略円筒形状のキャップ部１１が先端に装着された内視鏡９と組み合わせて使用される使用時に、ループ部５がキャップ部１１の内周面に沿って円周上に広がって配置された際に、ループ部５の屈折した先端突出部７がキャップ部１１の内壁に適合するようにしたものである。【選択図】    図２
2004230053.tif 000002
【特許請求の範囲】
【請求項１】
可撓性シースの内部に進退可能に挿入された操作ワイヤの先端部にスネアワイヤが連結され、前記スネアワイヤが前記シース内に突没可能に収納されるとともに、前記スネアワイヤが前記シースの外に突出された際に略円形または楕円形のループ状に拡開するループ部が形成され、
かつ略円筒形状のキャップ部が先端に装着された内視鏡と組み合わせて使用される使用時に、前記ループ部が前記キャップ部の内周面に沿って円周上に広がって配置される高周波スネアにおいて、
前記ループ部の先端部に前記ループの平面に対して交差する方向に突出させた先端突出部を設けたことを特徴とする高周波スネア。
【請求項２】
体内に挿入される細長い挿入部の先端部に内視鏡用フードが固定された内視鏡と、高周波スネアとが組み合わされて使用され、
前記内視鏡用フードに略円筒形状の透明なキャップ部と、このキャップ部の先端縁近傍の内周面に内側に向けてフランジ状に突設された突起部と、前記キャップ部の基端部を前記内視鏡の先端部に固定する固定部とが設けられ、
前記キャップ部が前記内視鏡の先端部に固定された際に前記内視鏡の挿入部の外に並設され、かつ先端側の開口が前記キャップ部の内側に連通される軟性チューブが設けられるとともに、
前記高周波スネアに可撓性シースと、この可撓性シースの内部に進退可能に挿入された操作ワイヤと、この操作ワイヤの先端部に連結されたスネアワイヤとが設けられ、前記スネアワイヤが前記シースの外に突出された際に略円形または楕円形のループ状に拡開するループ部が形成され前記ループ部が前記キャップ部の内周面に沿って円周上に広がって配置される医療器具において、
前記ループ部の先端部に、前記ループの平面に対して交差する方向に突出させた先端突出部を設けたことを特徴とする医療器具。
【請求項３】
体内に挿入される細長い挿入部の先端部に内視鏡用フードが固定された内視鏡と、高周波スネアとが組み合わされて使用され、
前記内視鏡用フードに略円筒形状の透明なキャップ部と、このキャップ部の先端縁近傍の内周面に内側に向けてフランジ状に突設された突起部と、前記キャップ部の基端部を前記内視鏡の先端部に固定する固定部とが設けられ、
前記キャップ部が前記内視鏡の先端部に固定された際に前記内視鏡の挿入部の外に並設され、かつ先端側の開口が前記キャップ部の内側に連通される軟性チューブが設けられるとともに、
前記高周波スネアに可撓性シースと、この可撓性シースの内部に進退可能に挿入された操作ワイヤと、この操作ワイヤの先端部に連結されたスネアワイヤとが設けられ、前記スネアワイヤが前記シースの外に突出された際に略円形または楕円形のループ状に拡開するループ部が形成され、
かつ前記ループ部の平面は、前記シースの軸方向に対して傾斜し、前記ループ部の先端は、前記ループ部の平面に対して起上し、前記ループ部は前記シースの軸回り方向に回転可能である医療器具の組み付け方法において、
前記内視鏡用フードを前記内視鏡に装着したのち、前記高周波スネアを前記軟性チューブ内に挿入し、前記高周波スネアの前記可撓性シースの先端を前記キャップ部から外に突出させる高周波スネア挿入工程と、
前記可撓性シースの先端を前記キャップ部の外に突出させた状態で、前記ループ部を前記シースから突出させるループ部突出工程と、
前記ループ部を必要に応じて回転させ、前記ループ部の向きを調節するループ部の向き調節工程と、
前記ループ部を前記キャップ内に引き込むループ部引き込み工程と、
前記キャップ部の先端縁を被押圧物に押し付けるキャップ部押し付け工程と、前記シースを押し込んで前記ループ部を前記キャップ部の突起部上に密着させて前記ループ部を前記突起部に沿って円周上に広がって配置させるループ部配置工程と、を具備することを特徴とする医療器具の組み付け方法。
【発明の詳細な説明】
【０００１】
【発明の属する技術分野】
本発明は、内視鏡の挿入部の先端に取り付けられた略円筒状のキャップの中に吸引してポリープ状にした病変部粘膜を切除する高周波スネアと医療器具とその医療器具の組み付け方法に関する。
【０００２】
【従来の技術】
近年、食道や胃の早期癌に対して、開腹せずに内視鏡を用いて病変部の粘膜を切除する内視鏡的粘膜切除術が行われている。その方法の一つとして、特許文献１や特許文献２には内視鏡と高周波スネアとを組み合わせて使用する方法が示されるている。ここでは、内視鏡の挿入部の先端に略円筒形状のフードを取り付けている。このフードの先端部内周面には内側に向けてフランジ状の突起部（爪部）が突設されている。
【０００３】
さらに、高周波スネアには可撓性シースの内部に進退可能に挿入された操作ワイヤの先端部にスネアワイヤが連結されている。このスネアワイヤがシース内に突没可能に収納されるとともに、スネアワイヤがシースの外に突出された際に略円形または楕円形のループ状に拡開するループ部が形成されるようになっている。そして、高周波スネアの使用時には内視鏡のチャンネルに高周波スネアを挿通させ、内視鏡のチャンネルから突出させる。このとき、高周波スネアのループ部を、フードの内側でフランジ状の突起部に沿って配した状態にセットする。この状態で、フード内に粘膜を吸引した後、高周波スネアで絞扼し、通電切除するようになっている。
【０００４】
また、特許文献３には、特許文献１や特許文献２のフードの内側に連通する連通口に先端が連結された軟性チューブが設けられている。この軟性チューブ内には、予め高周波スネアが挿通されている。そして、高周波スネアのループ部をフード内のフランジ状の突起部に沿って配した状態で、接着剤により高周波スネアのループ部が固定された構成が開示されている。
【０００５】
ところで、このような方法には、特許文献４の第４図や、特許文献５の第９図に示される公知の高周波スネアが用いられている。ここで、特許文献４の第４図の高周波スネアでは、スネアループの形状が非対称な形状であり、ループ部の片側が可動してループ部を形成する構成が示されている。さらに、特許文献５の第９図にはスネアループの形状が例えば楕円形状のような対称な形状の高周波スネアが示されている。
【０００６】
【特許文献１】
実開平６−７５４０２号公報
【０００７】
【特許文献２】
特開２００１−２７５９３３号公報
【０００８】
【特許文献３】
特開２００２−４５３６９号公報
【０００９】
【特許文献４】
実開昭５６−１６０５１６号公報
【００１０】
【特許文献５】
実公平６−９６２３号公報
【００１１】
【発明が解決しようとする課題】
特許文献４の第４図に示される高周波スネアではスネアループの形状が非対称な形状であるので、ループの片側を可動してループを形成する操作が行なわれる。そのため、高周波スネアを内視鏡と組み合わせて使用して内視鏡的粘膜切除術を行う場合に、略円筒形状のフードのフランジ状の突起部にスネアループを配置する作業（以下、ルーピング作業と称する）に熟練を要するため、ルーピング作業が容易にできないという問題がある。
【００１２】
また、特許文献５の第９図に示されるようにスネアループの形状が例えば楕円形状のような対称な形状の高周波スネアでは、スネアループの先端に突出部が形成されている。そのため、ルーピング作業の際、このスネアループの先端突出部がフードの内壁に突き当たり、ループがフードのフランジ状の突起部にきちんと配置されないという問題がある。
【００１３】
本発明は上記事情に着目してなされたもので、その目的は、内視鏡的粘膜切除を行う際に、内視鏡のキャップ部にループ部をルーピングする作業を簡便で確実に行うことができる高周波スネアと医療器具とその医療器具の組み付け方法を提供することにある。
【００１４】
【課題を解決するための手段】
請求項１の発明は、可撓性シースの内部に進退可能に挿入された操作ワイヤの先端部にスネアワイヤが連結され、前記スネアワイヤが前記シース内に突没可能に収納されるとともに、前記スネアワイヤが前記シースの外に突出された際に略円形または楕円形のループ状に拡開するループ部が形成され、
かつ略円筒形状のキャップ部が先端に装着された内視鏡と組み合わせて使用される使用時に、前記ループ部が前記キャップ部の内周面に沿って円周上に広がって配置される高周波スネアにおいて、
前記ループ部の先端部に前記ループの平面に対して交差する方向に突出させた先端突出部を設けたことを特徴とする高周波スネアである。
【００１５】
そして、上記課題を解決するために本請求項１の発明の高周波スネアでは、キャップ部が先端に装着された内視鏡と組み合わせて使用されて内視鏡的粘膜切除を行う使用時に、ループ部がキャップ部の内周面に沿って円周上に広がって配置された際に、ループ部の屈折した先端突出部がキャップ部の内壁に適合することにより、ループ部の先端突出部がキャップ部の内壁に突き当たることを防止してループ部がキャップ部のフランジ状の突起部にきちんと配置されるようにして、高周波スネアのループ部をキャップ部にルーピングするルーピング作業を簡便、確実に行うことができるようにしたものである。
【００１６】
請求項２の発明は、体内に挿入される細長い挿入部の先端部に内視鏡用フードが固定された内視鏡と、高周波スネアとが組み合わされて使用され、
前記内視鏡用フードに略円筒形状の透明なキャップ部と、このキャップ部の先端縁近傍の内周面に内側に向けてフランジ状に突設された突起部と、前記キャップ部の基端部を前記内視鏡の先端部に固定する固定部とが設けられ、
前記キャップ部が前記内視鏡の先端部に固定された際に前記内視鏡の挿入部の外に並設され、かつ先端側の開口が前記キャップ部の内側に連通される軟性チューブが設けられるとともに、
前記高周波スネアに可撓性シースと、この可撓性シースの内部に進退可能に挿入された操作ワイヤと、この操作ワイヤの先端部に連結されたスネアワイヤとが設けられ、前記スネアワイヤが前記シースの外に突出された際に略円形または楕円形のループ状に拡開するループ部が形成され前記ループ部が前記キャップ部の内周面に沿って円周上に広がって配置される医療器具において、
前記ループ部の先端部に、前記ループの平面に対して交差する方向に突出させた先端突出部を設けたことを特徴とする医療器具である。
【００１７】
そして、本請求項２の発明の医療器具では、内視鏡と、高周波スネアとが組み合わされて使用される使用時に、ループ部がキャップ部の内周面に沿って円周上に広がって配置された際に、ループ部の屈折した先端突出部がキャップ部の内壁に適合することにより、ループ部の先端突出部がキャップ部の内壁に突き当たることを防止してループ部がキャップ部のフランジ状の突起部にきちんと配置されるようにして、高周波スネアのループ部をキャップ部にルーピングするルーピング作業を簡便、確実に行うことができるようにしたものである。
【００１８】
請求項３の発明は、体内に挿入される細長い挿入部の先端部に内視鏡用フードが固定された内視鏡と、高周波スネアとが組み合わされて使用され、
前記内視鏡用フードに略円筒形状の透明なキャップ部と、このキャップ部の先端縁近傍の内周面に内側に向けてフランジ状に突設された突起部と、前記キャップ部の基端部を前記内視鏡の先端部に固定する固定部とが設けられ、
前記キャップ部が前記内視鏡の先端部に固定された際に前記内視鏡の挿入部の外に並設され、かつ先端側の開口が前記キャップ部の内側に連通される軟性チューブが設けられるとともに、
前記高周波スネアに可撓性シースと、この可撓性シースの内部に進退可能に挿入された操作ワイヤと、この操作ワイヤの先端部に連結されたスネアワイヤとが設けられ、前記スネアワイヤが前記シースの外に突出された際に略円形または楕円形のループ状に拡開するループ部が形成され、
かつ前記ループ部の平面は、前記シースの軸方向に対して傾斜し、前記ループ部の先端は、前記ループ部の平面に対して起上し、前記ループ部は前記シースの軸回り方向に回転可能である医療器具の組み付け方法において、
前記内視鏡用フードを前記内視鏡に装着したのち、前記高周波スネアを前記軟性チューブ内に挿入し、前記高周波スネアの前記可撓性シースの先端を前記キャップ部から外に突出させる高周波スネア挿入工程と、
前記可撓性シースの先端を前記キャップ部の外に突出させた状態で、前記ループ部を前記シースから突出させるループ部突出工程と、
前記ループ部を必要に応じて回転させ、前記ループ部の向きを調節するループ部の向き調節工程と、
前記ループ部を前記キャップ内に引き込むループ部引き込み工程と、
前記キャップ部の先端縁を被押圧物に押し付けるキャップ部押し付け工程と、前記シースを押し込んで前記ループ部を前記キャップ部の突起部上に密着させて前記ループ部を前記突起部に沿って円周上に広がって配置させるループ部配置工程と、を具備することを特徴とする医療器具の組み付け方法である。
【００１９】
そして、本請求項３の発明の医療器具の組み付け方法により、内視鏡的粘膜切除を行う際に、キャップ部へ高周波スネアのループ部をルーピングする作業を簡便で確実に行うことができるようにしたものである。
【００２０】
【発明の実施の形態】
以下、本発明の第１の実施の形態を図１乃至図４（Ａ）〜（Ｅ）を参照して説明する。図１は本実施の形態の高周波スネア１を示している。この高周波スネア１には、電気絶縁性を有する細長い可撓性シース２が設けられている。この可撓性シース２内には図２に示すように操作ワイヤ３が進退可能に挿通されている。
この操作ワイヤ３の先端部にはスネアワイヤ４が接続されている。このスネアワイヤ４には略楕円形状のループ部５が形成されている。
【００２１】
また、可撓性シース２の手元端には操作部６が設けられている。この操作部６には軸状のガイド部材６ａと、このガイド部材６ａに沿って軸線方向に進退可能なスライダ６ｂとが設けられている。ガイド部材６ａは可撓性シース２の基端部に連結されている。さらに、ガイド部材６ａの内部には操作ワイヤ３を挿通する図示しないワイヤ挿通孔が形成されている。
【００２２】
また、スライダ６ｂには操作ワイヤ３の基端部が接続されている。そして、ガイド部材６ａに沿ってスライダ６ｂを軸線方向に進退させる動作にともない操作ワイヤ３が軸線方向に進退駆動され、スネアワイヤ４のループ部５が可撓性シース２の先端部から突没操作されるようになっている。このとき、ガイド部材６ａに対してスライダ６ｂを前進させると、可撓性シース２からループ部５が突出し、自己拡開性により略楕円形に拡開されるようになっている。逆に、ガイド部材６ａに対してスライダ６ｂを後退させると、ループ部５は収縮して可撓性シース２内に引き込まれて収納されるようになっている。
【００２３】
また、スネアワイヤ４には、ループ部５の先端部にこのループ部５の平面５ａに対して交差する方向、本実施の形態ではループ部５の平面５ａに対して屈曲角度θ１で屈曲させて突出させた先端突出部７が設けられている。ここで、屈曲角度θ１は約９０°、つまり先端突出部７は略直角に屈曲されている。そして、その先端突出部７の付け根部分の２本のワイヤにはループ部５の平面５ａに対して略直角に屈曲させた一対の屈曲部８がそれぞれ形成されている。
【００２４】
また、本実施の形態の高周波スネア１は、図４（Ａ）〜（Ｅ）に示すように内視鏡９と組み合わせて使用される。この内視鏡９には体内に挿入される細長い挿入部９ａの先端部に内視鏡用フード１０が装着されている。この内視鏡用フード１０には、略円筒形状の透明なキャップ部１１が設けられている。このキャップ部１１の基端部には内視鏡９の挿入部９ａの先端部に着脱可能に固定する略円筒形状の内視鏡装着部１２が設けられている。さらに、キャップ部１１の先端縁近傍の内周面には内側に向けてフランジ状の小径な突起部（爪部）１３が突設されている。そして、本実施の形態の高周波スネア１は、内視鏡９のチャンネル９ｂを通して体内に挿入されるようになっている。
【００２５】
次に、上記構成の作用について説明する。ここでは、図４（Ａ）〜（Ｅ）を本実施の形態の高周波スネア１を用いて、粘膜Ａ１を切除する場合について説明する。まず、内視鏡用フード１０を内視鏡９の挿入部９ａの先端部に固定し、その状態で、体腔内へ挿入する。そして、内視鏡用フード１０のキャップ部１１の先端開口部を目的の粘膜Ａ１に向けて移動させる。
【００２６】
続いて、図４（Ａ）に示すようにキャップ部１１の先端を粘膜Ａ１に押し付け、内視鏡９のチャンネル９ｂを用いて吸引する。このとき、粘膜Ａ１は負圧によりフード１０内に引き込まれ、切除部分Ａ２が盛り上がる。
【００２７】
続いて、チャンネル９ｂに高周波スネア１を挿入する。このとき、高周波スネア１のループ部５は収縮して可撓性シース２内に引き込まれて収納されたままの状態でチャンネル９ｂに挿入される。そして、この可撓性シース２の先端部をチャンネル９ｂの先端部から突出させる。この状態で、ガイド部材６ａに対してスライダ６ｂを前進させることにより、図４（Ｂ）に示すように可撓性シース２からスネアワイヤ４のループ部５を繰り出す。このとき、可撓性シース２から繰り出されたスネアワイヤ４のループ部５は、自己拡開性により略楕円形に拡開される。
【００２８】
また、可撓性シース２からのループ部５の繰り出し作業は、図４（Ｂ）に示すように、ループ部５の先端がキャップ部１１の先端の突起部１３に突き当たるまで続ける。その後、可撓性シース２を前方に押し出すことにより、ループ部５を開く。これにより、ループ部５は、図４（Ｃ）に示すように、粘膜Ａ１の盛り上がった切除部分Ａ２の根元に来る。このとき、図３に示すように、ループ部５の平面５ａに対して略直角に屈折した先端突出部７は、キャップ部１１の内壁面１１ａに密着する。このため、ループ部５が突起部１３上にしっかりと係止される。
【００２９】
この状態で、次に、ガイド部材６ａに対してスライダ６ｂを後退させる。これにより、ループ部５を可撓性シース２に引き込んで、図４（Ｄ）に示すように切除部分Ａ２の粘膜Ａ１を引き絞る。
【００３０】
その後、図４（Ｅ）に示すように、内視鏡９のチャンネル９ｂから可撓性シース２を前方に突き出して粘膜Ａ１をキャップ部１１から離す。この状態で、ループ部５に高周波電流を通電して粘膜Ａ１の切除部分Ａ２を切除する。ここで切除した粘膜Ａ１の切除部分Ａ２は、内視鏡９のチャンネル９ｂを通して吸引される。これにより、吸引圧力によって粘膜Ａ１の切除部分Ａ２がフード１０内に保持された状態で内視鏡９と一緒に体腔外へ取り出されて回収される。
【００３１】
そこで、上記構成のものにあっては次の効果を奏する。すなわち、本実施の形態の高周波スネア１ではループ部５の先端部にループ部５の平面５ａに対して略直角に屈曲させて突出させた先端突出部７を設けている。そして、内視鏡用フード１０が先端に装着されたフード付きの内視鏡９と高周波スネア１とを組み合わせて内視鏡的粘膜切除を行う場合には、ループ部５がフード１０のキャップ部１１の内周面に沿って円周上に広がって配置された際に、ループ部５の屈折した先端突出部７がキャップ部１１の内壁に適合することにより、ループ部５の先端突出部７がキャップ部１１の内壁に突き当たることを防止してループ部５がキャップ部１１のフランジ状の突起部１３にきちんと配置されるようにしている。そのため、高周波スネア１のループ部５をキャップ部１１にルーピングするルーピング作業を簡便、確実に行うことができる。
【００３２】
また、図５（Ａ）〜（Ｃ）は本発明の第２の実施の形態を示すものである。本実施の形態は第１の実施の形態（図１乃至図４（Ａ）〜（Ｅ）参照）の高周波スネア１と、内視鏡９とを組み合わせて使用する医療器具の構成を次の通り変更したものである。
【００３３】
すなわち、本実施の形態の高周波スネア２１では、図５（Ａ）に示すようにループ部５の平面５ａに対する屈曲角度θ２が９０°未満に設定された鋭角的な先端突出部２２が形成され、この先端突出部２２の先端側が根元側よりも可撓性シース２側に接近する方向に傾いている点が第１の実施の形態と異なる。
【００３４】
そして、本実施の形態の高周波スネア２１は、図５（Ｂ）に示すように、キャップ部１１の先端縁が内視鏡９の挿入方向に対して斜めに傾斜された傾斜面２３によって形成された内視鏡用フード２４と組み合わせて使用される。なお、この傾斜面２３はループ部５の先端突出部２２の屈曲角度θ２と略等角度に設定されている。さらに、本実施の形態のフード２４ではフランジ状の小径な突起部１３は図５（Ｃ）に示すようにキャップ部１１の傾斜面２３に沿って内部側に向けて突設されている。
【００３５】
そこで、本実施の形態の高周波スネア２１ではループ部５の先端部にループ部５の平面５ａに対する屈曲角度θ２が９０°未満に設定された鋭角的な先端突出部２２を設けている。そして、内視鏡用フード２４が先端に装着された内視鏡９と高周波スネア２１とを組み合わせて使用する場合には、ループ部５がフード２４のキャップ部１１の内周面に沿って円周上に広がって配置された際に、ループ部５の屈折した先端突出部２２がキャップ部１１の内壁に適合することにより、ループ部５の先端突出部２２がキャップ部１１の内壁に突き当たることを防止してループ部５がキャップ部１１のフランジ状の突起部１３にきちんと配置されるようにしている。そのため、高周波スネア１のループ部５をキャップ部１１にルーピングするルーピング作業を簡便、確実に行うことができる。
【００３６】
また、図６乃至図１３（Ａ），（Ｂ）は本発明の第３の実施の形態を示すものである。図６は、第１の実施の形態（図１乃至図４（Ａ）〜（Ｅ）参照）の高周波スネア１と主要部分が略同様の構成の高周波スネア５１と組み合わせて使用される本実施の形態の内視鏡用粘膜切除具３１を示している。この内視鏡用粘膜切除具３１には、図９（Ａ）に示すように内視鏡９の挿入部９ａに沿って外付け状態で並設される細長い軟性チューブ３２が設けられている。この軟性チューブ３２は、内視鏡９の挿入部９ａの有効長とほぼ等しい長さか、又はそれ以上の長さとなるように設定されている。そして、この軟性チューブ３２は、内視鏡９の挿入部９ａに医療用テープ等で固定されるようになっている。さらに、軟性チューブ３２の先端部には内視鏡９の挿入部９ａの先端部に連結される先端側連結部３３、基端部には図１１（Ａ）に示すように内視鏡９の手元側操作部９ｃに連結される基端側連結部３４がそれぞれ設けられている。
【００３７】
また、先端側連結部３３には内視鏡９の挿入部９ａの先端部に着脱可能に外嵌される略円筒形状の内視鏡装着部３５と、この内視鏡装着部３５の先端側に配置される大径な略円筒形状のキャップ部３６とが設けられている。図９（Ａ）に示すように内視鏡装着部３５の先端部には、内部側に向けて内視鏡係止部３７が突設されている。そして、内視鏡用粘膜切除具３１を内視鏡９に固定する場合には内視鏡９の挿入部９ａの先端が内視鏡装着部３５の内部に挿入されるようになっている。このとき、図７（Ａ）に示すように内視鏡９の挿入部９ａの先端が内視鏡係止部３７に突き当たる位置まで押し込むことにより、内視鏡９の挿入部９ａの先端がキャップ部３６に入り込まない状態で、内視鏡装着部３５が内視鏡９の挿入部９ａの先端に着脱可能に固定される構造となっている。
【００３８】
また、キャップ部３６の基端部と内視鏡装着部３５の先端部との間のフランジ状の段差部にはキャップ部３６の内側に連通する連通口部３８が形成されている。さらに、内視鏡装着部３５の外側には軟性チューブ３２が配置されている。この軟性チューブ３２の先端部は、連通口部３８に連結されている。ここで、軟性チューブ３２の先端部は、接着、溶着等の手段により内視鏡装着部３５およびキャップ部３６に気密を保った状態で固着されている。そして、この軟性チューブ３２の先端はキャップ部３６の内側に開口されている。なお、軟性チューブ３２とキャップ部３６との接続においては、軟性チューブ３２の軸線とキャップ部３６の軸線はほぼ平行に配置されている。さらに軟性チューブ３２先端開口部はキャップ部３６の内壁に隣接して配置されている。
【００３９】
また、キャップ部３６の先端縁には、内視鏡９の挿入方向に対して斜めに傾斜した傾斜面３９が形成されている。さらに、このキャップ部３６の先端部には内部側に向けて傾斜面３９に沿ってフランジ状の小径な突起部４０が突設されている。そして、この傾斜面３９における最も突出量が小さい位置（最後端位置）と対応する位置に連通口部３８が配置されている。
【００４０】
また、図８（Ａ）に示すように、キャップ部３６の周壁面と突起部４０との間の屈曲部には周方向に沿って複数箇所に内部側に向けて切り起こし成形された係止部４１が形成されている。各係止部４１は、図８（Ｂ）に示すように、突起部４０の略中央部に横方向の切込み４１ａ、その切込み４１ａの両端からキャップ部３６の周壁部にかけて２つの縦方向の切込み４１ｂを設けて形成されている。そして、各係止部４１は内側に傾倒されている。これにより、本実施の形態の内視鏡用粘膜切除具３１が高周波スネア５１と組み合わせて使用され、図８（Ａ）に示すように、高周波スネア５１のループ部５がキャップ部３６の内周面に沿って円周上に広がって配置される際に、各係止部４１の外面でスネアワイヤ４を押さえることにより、突起部４０と交互にスネアワイヤ４を支持するようになっている。
【００４１】
さらに、図７（Ａ）に示すようにキャップ部３６の先端傾斜面３９における最も突出量が大きい位置（最先端位置）の内壁面には、図７（Ｂ）に示す陥凹部４２が設けられている。そして、高周波スネア５１のループ部５がキャップ部３６の内周面に沿って円周上に広がって配置される際に、この陥凹部４２に高周波スネア５１のループ部５の後述する先端突出部５２が嵌合して位置決めされるようになっている。
【００４２】
また、軟性チューブ３２の手元側の基端側連結部３４には、内視鏡９の基端部に係止されるフック部４３が設けられている。このフック部４３には、図９に示すように係止孔４４が設けられている。そして、フック部４３の係止孔４４には図１１（Ａ）に示すように内視鏡９の手元側操作部９ｃの一部、例えば鉗子栓９ｄが挿入されて引掛けられた状態で係止されるようになっている。これにより、フック部４３を内視鏡９の鉗子栓９ｄ近傍に引掛けて固定するようになっている。
【００４３】
さらに、軟性チューブ３２の手元側の基端側連結部３４には、高周波スネア固定部４５が設けられている。この固定部４５には、基端側連結部３４の一端部に固定された円筒状のベース部材４５ａが設けられている。このベース部材４５ａの筒内には軟性チューブ３２内に通じる通孔４５ｂが形成されている。さらに、ベース部材４５ａの外周面には雄ねじ部４５ｃが形成されている。この雄ねじ部４５ｃには回転環４６が螺着されている。この回転環４６の先端部にはベース部材４５ａの雄ねじ部４５ｃに螺着されるねじ穴部４６ａが形成されている。さらに、このベース部材４５ａの基端部には弾性管ホルダ４６ｂが設けられている。この弾性管ホルダ４６ｂには弾性管４７が内蔵された状態で保持されている。この弾性管４７の先端部はベース部材４５ａに当接された状態で保持されている。
【００４４】
また、図９に示すように回転環４６の外周面にはノブ４６ｃが設けられている。そして、ノブ４６ｃによって回転環４６を回転操作することにより、ベース部材４５ａの雄ねじ部４５ｃに対して回転環４６のねじ穴部４６ａが螺進操作されるようになっている。ここで、ノブ４６ｃによって回転環４６を締付け方向に回転操作することにより、弾性管ホルダ４６ｂ内の弾性管４７が潰されて内孔が狭まる方向に弾性変形し、弾性管４７内に挿通された高周波スネア５１のシース２を係脱可能に係合するようになっている。さらに、ノブ４６ｃによって回転環４６を締付け方向とは逆方向（締付け解除方向）に回転操作することにより、回転環４６を緩めると、潰されて内孔が狭まっていた内部の弾性管４７が元に戻り、高周波スネア５１のシース２の係合が解除されて進退可能となる。
【００４５】
また、軟性チューブ３２には、本実施の形態の高周波スネア５１が挿脱可能に挿入されている。この高周波スネア５１は第１の実施の形態（図１乃至図４（Ａ）〜（Ｅ）参照）の高周波スネア１と主要部分が略同様の構成になっている。そして、この高周波スネア５１のシース２は基端側連結部３４の高周波スネア固定部４５から軟性チューブ３２に挿入されるようになっている。さらに、軟性チューブ３２に挿入された高周波スネア５１のシース２の先端は、図７（Ａ）および図８（Ａ）に示すように連通口部３８よりキャップ部３６内に突出されるようになっている。この状態で、シース２からスネアワイヤ４が繰り出されて、キャップ部３６の突起部４０に図８（Ａ），（Ｂ）に示すように係留されている。
【００４６】
また、本実施の形態の高周波スネア５１のスネアワイヤ４は、図１０に示す通り構成されている。すなわち、このスネアワイヤ４には、略楕円形状のループ部５の先端部にこのループ部５の平面５ａに対して交差する方向、本実施の形態ではループ部５の平面５ａに対して鋭角な屈曲角度θ３で屈曲させて突出させた先端突出部５２が設けられている。この先端突出部５２の屈曲角度θ３は、キャップ部３６の先端縁の傾斜面３９の傾斜角度αと略同等の角度に設定されている。
【００４７】
さらに、本実施の形態の高周波スネア５１にはループ部５の基端部に横向きに屈曲させた屈曲部５３が設けられている。この屈曲部５３は、高周波スネア５１のシース２を軟性チューブ３２に挿通して連通口部３８から突出させた状態で、スネア５１のループ部５の平面５ａが、キャップ部３６の突起部４０を含む傾斜面３９と略平行になるように設定されている。これによって、ループ部５がキャップ部３６の突起部４０の内周面に沿って円周上に広がって確実に配置されるようになっている。
【００４８】
また、高周波スネア５１の基端部には、手元端の操作部５４が設けられている。この操作部５４には、軸状のガイド部材５４ａと、このガイド部材５４ａに沿って軸線方向に進退可能なスライダ５４ｂとが設けられている。ガイド部材５４ａは可撓性シース２の基端部に連結されている。さらに、ガイド部材５４ａの内部には操作ワイヤ３を挿通する図示しないワイヤ挿通孔が形成されている。
【００４９】
また、スライダ５４ｂには操作ワイヤ３の基端部が接続されている。そして、ガイド部材５４ａに沿ってスライダ５４ｂを軸線方向に進退させる動作にともない操作ワイヤ３が軸線方向に進退駆動され、スネアワイヤ４のループ部５が可撓性シース２の先端部から突没操作されるようになっている。このとき、ガイド部材５４ａに対してスライダ５４ｂを前進させると、可撓性シース２からループ部５が突出し、自己拡開性により略楕円形に拡開されるようになっている。逆に、ガイド部材５４ａに対してスライダ５４ｂを後退させると、ループ部５は収縮して可撓性シース２内に引き込まれて収納されるようになっている。
【００５０】
また、操作部５４には、スライダ５４ｂの前後の動きを規制する規制部材５５が設けられている。この規制部材５５には、スライダ５４ｂの指かけ部５４ｃに嵌合する凸部５５ａと、規制部材５５をガイド部材５４ａに固定する固定部５５ｂとが設けられている。そして、この規制部材５５が操作部５４に装着されることにより、キャップ部３６に配置されたスネアワイヤ４が動かないようにスライダ５４ｂの前後の動きが規制されている。
【００５１】
次に、上記構成の本実施の形態の作用について説明する。ここでは、内視鏡用粘膜切除具３１を用いて、粘膜Ａ１を切除する場合について説明する。まず、内視鏡用粘膜切除具３１を内視鏡９に装着する。このとき、内視鏡用粘膜切除具３１の先端側連結部３３を内視鏡９の挿入部９ａの先端に装着したのち、軟性チューブ３２を内視鏡９の挿入部９ａに沿って並設し、医療用テープ等で軟性チューブ３２を挿入部９ａに固定する。その後、図１１（Ａ）に示すように内視鏡用粘膜切除具３１の基端側連結部３４のフック部４３を内視鏡９の鉗子栓９ｄ近傍に引掛けて固定する。
【００５２】
この状態で、内視鏡９および内視鏡用粘膜切除具３１を体腔内へ挿入し、内視鏡用粘膜切除具３１のキャップ部３６の先端開口部を目的の粘膜切除部分Ａ２に向けて移動させる。
【００５３】
続いて、図１１（Ｂ）に示すようにキャップ部３６の先端開口部を粘膜Ａ１に押し付ける。この状態で、内視鏡９のチャンネル９ｂを経由して、図示しない吸引装置から吸引することにより、粘膜Ａ１は負圧によりキャップ部３６の内部に引き込まれて粘膜Ａ１の切除部分Ａ２が隆起される。
【００５４】
その後、図１２（Ａ）に示すように、高周波スネア１の操作部５４から規制部材５５を取り外す。この状態で、操作部５４のスライダ５４ｂをガイド部材５４ａに対して後退させると、図１２（Ｂ）に示すように、スネアワイヤ４のループ部５はキャップ部３６の各係止部４１から外れてシース２内に引き込まれる。これにより、スネアワイヤ４のループ部５の大きさが縮小され、粘膜Ａ１の切除部分Ａ２の根元を緊縛する。
【００５５】
その後、図１３（Ａ）に示すように、固定部４５のノブ４６ｃを保持して回転環４６を回転させて弾性管４７の締付けを緩める。これにより、高周波スネア５１のシース２の係合が解除される。この状態で、シース２を前方に押し込む。
【００５６】
このシース２の押し込み操作によって、図１３（Ｂ）に示すように、シース２の先端部をキャップ部３６から突出させると共に、スネアワイヤ４のループ部５で緊縛した切除部分Ａ２をキャップ部３６内から出して離す。この後、内視鏡９のチャンネル９ｂに挿通した図示しない超音波プローブ等を用いて粘膜Ａ１や筋層Ａ３の状態を検査し、筋層Ａ３を巻き込んでいない状態を確認することにより、安全な粘膜Ａ１の切除が可能となる。
【００５７】
そして、図１３（Ｂ）の状態で、切除部分Ａ２をスネアワイヤ４のループ部５で引き絞りながら、スネアワイヤ１２に高周波電流を流して粘膜Ａ１を切除する。このとき切除した粘膜Ａ１の切除部分Ａ２は、超音波プローブ等をチャンネル９ｂから抜去した後、このチャンネル９ｂで吸引してキャップ部３６内に保持した状態で内視鏡９と一緒に体腔外へ取出されて回収される。
【００５８】
そこで、上記構成のものにあっては次の効果を奏する。すなわち、本実施の形態の内視鏡用粘膜切除具３１では、高周波スネア５１のループ部５の先端突出部５２を、キャップ部３６の斜めの角度と略同等の角度で屈曲させ、かつキャップ部３６の突起部４０を含む傾斜面３９とループ部５の平面５ａが略平行になるようにループ部５を屈折させている。そのため、本実施の形態の内視鏡用粘膜切除具３１が高周波スネア５１と組み合わせて使用され、図８（Ａ）に示すように、高周波スネア５１のループ部５がキャップ部３６の内周面に沿って円周上に広がって配置される際に、先端突出部５２及びループ部５がキャップ部３６の内周面及び突起部４０に密接し、高周波スネア５１のループ部５をキャップ部３６の突起部４０上に確実に配置することができる。これにより、本実施の形態でも第１の実施の形態と同様に高周波スネア５１のループ部５をキャップ部３６にルーピングするルーピング作業を簡便、確実に行うことができる。
【００５９】
また、図１４乃至図１７（Ａ）〜（Ｃ）は本発明の第４の実施の形態を示すものである。本実施の形態は第３の実施の形態（図６乃至図１３（Ａ），（Ｂ）参照）の高周波スネア５１と同様に構成される。そして、本実施の形態ではこの高周波スネア５１が図１５（Ａ）に示す内視鏡用フード６１と組み合わせて使用される。
【００６０】
この内視鏡用フード６１には、略円筒形状の透明なキャップ部６２と、内視鏡用フード６１を内視鏡９の挿入部９ａの先端部に着脱可能に固定する略円筒形状の内視鏡装着部６３とが設けられている。これらキャップ部６２と内視鏡装着部６３とは、外径及び内径が異なる円筒形状に形成されており、両者はテーパー状に形成されたフランジ６４にて接続されている。
【００６１】
また、内視鏡装着部６３の先端部には、内部側に向けて内視鏡係止部６５（図１７（Ａ）参照）が突設されている。そして、内視鏡用フード６１を内視鏡９に固定する場合には内視鏡９の挿入部９ａの先端が内視鏡装着部６３の内部に挿入される。このとき、内視鏡９の挿入部９ａの先端が内視鏡係止部６５に突き当たる位置まで押し込むことにより、内視鏡９の挿入部９ａの先端がキャップ部６２に入り込まない状態で、内視鏡用フード６１の内視鏡装着部６３が内視鏡９の挿入部９ａの先端に固定される構造になっている。
【００６２】
さらに、キャップ部６２の先端縁には、内視鏡９の挿入方向に対して斜めに傾斜した傾斜面６６が形成されている。さらに、このキャップ部６２の先端部には内部側に向けて傾斜面６６に沿ってフランジ状の小径な突起部６７が突設されている。そして、この突起部６７に高周波スネア５１のスネアシース２から繰り出される高周波スネアワイヤ４が係留されるようになっている。
【００６３】
また、キャップ部６２の基端部と内視鏡装着部６３の先端部との間のフランジ状の段差部にはキャップ部６２の内側に連通する連通口部６８（図１７（Ａ）参照）が形成されている。この連通口部６８はキャップ部６２における挿入方向の寸法が最も短い箇所に配置されている。さらに、内視鏡装着部６３の外側には高周波スネア５１を挿通可能な軟性チューブ６９が配置されている。この軟性チューブ６９の先端部は、上述した連通口部６８に連結されている。ここで、軟性チューブ６９の先端部は、接着、溶着等の手段により内視鏡装着部６３およびキャップ部６２に気密を保った状態で固着されている。そして、この軟性チューブ６９の先端はキャップ部６２の内側に開口されている。
【００６４】
なお、軟性チューブ６９とキャップ部６２との接続部においては、軟性チューブ６９の長軸とキャップ部６２の軸はほぼ平行に配置されている。また、軟性チューブ６９先端開口部はキャップ部６２の内壁に隣接して配置されている。
【００６５】
また、本実施の形態の高周波スネア５１の先端突出部５２は、ループ部５の平面５ａ（図１０参照）に対して、キャップ部６２の先端縁の斜めの角度αと略同等の角度で屈折されている。さらに、ループ部５の平面５ａは、キャップ部６２の突起部６７を含む平面３９（図１０参照）と略平行になるように屈折されている。
【００６６】
本実施形態では、シース２と操作部５４のガイド部材５４ａは相互に回転可能に連結されている。そして、操作部５４をシース２に対して回転させると、操作ワイヤ３を介してスネアワイヤ４に回転が伝わるようになっている。さらに、本実施形態の操作ワイヤ３は、トルク伝達性の高いワイヤで構成されている。
【００６７】
次に、上記構成の作用について説明する。ここでは、本実施形態の高周波スネア５１を用いて、粘膜Ａ１を切除する場合について説明する。最初に、スネアワイヤ４をキャップ部６２の突起部６７上にルーピングする作業手順について説明する。
【００６８】
まず、内視鏡用フード６１を内視鏡９の挿入部９ａの先端に装着し、固定する。この状態で、内視鏡９および内視鏡用フード６１を体腔内へ挿入する。続いて、高周波スネア５１のシース２を、軟性チューブ６９内に挿入し、図１５（Ａ）に示すようにキャップ部６２の外に突き出す。
【００６９】
その後、図１５（Ｂ）に示すように、ループ部５をシース２から突き出す。このとき、ループ部５の平面５ａがキャップ部６２の突起部６７の平面３９と平行でない場合には、操作部５４を回転させて図１５（Ｃ）に示すように、ループ部５の平面５ａがキャップ部６２の突起部６７の平面３９と平行になるように調整する。
【００７０】
その後、図１５（Ｄ）に示すようにシース２を引いてループ部５をキャップ部６２内に収容する。この状態で、図１６（Ａ）に示すように、任意の粘膜Ａ４にキャップ部６２の先端開口部を軽く押し付けて吸引する。
【００７１】
続いて、図１６（Ｂ）に示すように、シース２を押し出し、ループ部５を押し付ける。これにより、ループ部５は、キャップ部６２の突起部６７上に配置される。この状態で、吸引を解除し、図１６（Ｃ）に示すように、粘膜Ａ４からキャップ部６２を離すことにより、ルーピング作業が完了する。
【００７２】
続いて、粘膜Ａ１を切除する場合には、内視鏡用フード６１のキャップ部６２の先端開口部を目的の粘膜Ａ１に向けて移動させる。そして、図１７（Ａ）に示すように、キャップ部６２の先端開口部を粘膜Ａ１に押し付けた状態で、内視鏡９のチャンネル９ｂを経由して、図示しない吸引装置から吸引することにより、粘膜Ａ１は負圧によりキャップ部６２の内部に引き込まれて粘膜Ａ１の切除部分Ａ２が隆起される。
【００７３】
次に、高周波スネア５１の操作部５４のスライダ５４ｂをガイド部材５４ａに対して後退させると、図１７（Ｂ）に示すように、スネアワイヤ４はシース２内に引き込まれ、粘膜Ａ１の切除部分Ａ２の根元を緊縛する。そして、高周波スネア１のシース２を押し込み、図１７（Ｃ）に示すように、シース２をキャップ部６２から突出させると共に、スネアワイヤ４で緊縛した切除部分Ａ２をキャップ部６２内から出して離す。
【００７４】
この後、内視鏡９のチャンネル９ｂに挿通した超音波プローブ等を用いて粘膜Ａ１や筋層Ａ３の状態を検査し、筋層Ａ３を巻き込んでいない状態を確認することにより、安全な粘膜Ａ１の切除が可能となる。
【００７５】
さらに、図１７（Ｃ）の状態で、切除部分Ａ２を引き絞りながら、スネアワイヤ４に高周波電流を流して粘膜Ａ１を切除する。このとき、切除した粘膜Ａ１は、超音波プローブ等をチャンネル９ｂから抜去した後、チャンネル９ｂで吸引してキャップ部６２内に保持した状態で内視鏡９と一緒に体腔外へ取出されて回収される。
【００７６】
そこで、上記構成のものにあっては次の効果を奏する。すなわち、本実施形態の高周波スネア５１では、高周波スネア５１のループ部５の先端突出部５２を、内視鏡用フード６１のキャップ部６２の斜めの角度と略同等の角度で屈曲させ、かつキャップ部６２の突起部６７を含む平面３９とループ部５の平面５ａが略平行になるようにループ部５を屈折させ、さらに、操作ワイヤ３にトルク伝達性の高いワイヤを使用している。そして、上述した方法でルーピング作業を行うので、内視鏡的粘膜切除を行う際に、キャップ部６２へ高周波スネア５１のループ部５をルーピングする作業を簡便で確実に行うことができる。
【００７７】
さらに、本発明は上記実施の形態に限定されるものではなく、本発明の要旨を逸脱しない範囲で種々変形実施できることは勿論である。
次に、本出願の他の特徴的な技術事項を下記の通り付記する。
記
（付記項１）  略円筒形状を有し、内視鏡の先端に装着する透明なキャップ部の内周面に沿って円周上に広がって配置されるスネアワイヤを有する高周波スネアにおいて、
円形または楕円形に形成されたループを有し、前記ループ先端突出部が、前記ループの平面に対して起上していることを特徴とする高周波スネア。
【００７８】
（付記項２）  略円筒形状を有し、先端縁近傍の内周面の内側にフランジ状に突出した突起部を設けた、透明なキャップ部と、このキャップ部を内視鏡の先端部に固定する固定部と、先端側の開口が上記キャップ部の内側に連通し、上記キャップ部が内視鏡に固定された際に内視鏡挿入部の外に並設される軟性チューブとから構成される内視鏡用フードの、上記軟性チューブ内に挿入され、上記キャップ部の内周面に沿って円周上に広がって配置されたスネアワイヤを有する高周波スネアにおいて、上記高周波スネアは、円形または楕円形に形成されたループを有し、上記ループ先端突出部が、上記ループの平面に対して起上していることを特徴とする高周波スネア。
【００７９】
（付記項３）  略円筒形状を有し、先端縁近傍の内周面の内側にフランジ状に突出した突起部を設けた、透明なキャップ部と、このキャップ部を内視鏡の先端部に固定する固定部と、先端側の開口が上記キャップ部の内側に連通し、上記キャップ部が内視鏡に固定された際に内視鏡の挿入部の外に並設される軟性チューブと、を有する内視鏡用フードと、可撓性を有するシースと、前記シース内に進退自在に設けられた操作手段と、前記操作手段の先端に設けられ、前記シースの先端から突出して円形または楕円形状を形成するループとを具備し、前記ループの平面は、前記シースの軸に対して傾斜し、前記ループの先端は、前記ループ平面に対して起上し、前記ループは回転可能である高周波スネアと、を組み合わせる方法であって、
前記内視鏡用フードを内視鏡に装着する過程と、前記高周波スネアを前記内視鏡用フードの軟性チューブ内に挿入し、前記高周波スネアのシース先端を前記内視鏡用フードのキャップ部から外に突出させる過程と、前記高周波スネアのループを前記シースから突出させる過程と、前記ループを必要に応じて回転させ、前記ループの向きを調節する過程と、前記ループを前記キャップ内に引き込む過程と、前記キャップ部先端縁を被押圧物に押し付ける過程と、前記シースを押し込んで前記ループを前記キャップ部の突起部上に密着させる過程と、からなる、内視鏡フードのキャップ部に高周波スネアのループを配置する方法。
【００８０】
（付記項４）  上記ループ先端突出部は、上記ループ平面に対してほぼ直角に起上していることを特徴とする付記項１乃至３に記載の高周波スネア。
【００８１】
（付記項５）  上記ループ先端突出部は、上記ループ平面に対して鋭角に起上していることを特徴とする付記項１乃至３に記載の高周波スネア。
【００８２】
（付記項６）  上記ループの平面は、上記高周波スネアのシースの軸に対して傾斜していることを特徴とする付記項１または２に記載の高周波スネア。
【００８３】
（付記項７）  上記ループの傾斜は、上記ループの平面が、上記キャップ部の先端縁を含む平面と略平行になる角度に形成されていることを特徴とする付記項３または６に記載の高周波スネア。
【００８４】
（付記項８）  上記キャップ部の先端縁を含む平面は、挿入方向に対して鋭角に傾斜し、上記ループ先端突出部は、上記キャップ部の傾斜角度と同等の角度で起上していることを特徴とする付記項５に記載の高周波スネア。
【００８５】
（付記項９）  上記ループの径は、上記キャップ部の内周面の径と略同等であることを特徴とする付記項１乃至３に記載の高周波スネア。
【００８６】
（付記項１０）  上記ループは、上記高周波スネアのシースの軸に対して回転可能であることを特徴とする付記項１および２に記載の高周波スネア。
【００８７】
（付記項１、２の目的）  内視鏡的粘膜切除を行う際に、キャップへ高周波スネアのループをルーピングする作業を簡便で確実に行う。
【００８８】
（付記項１、２の効果）  ループ平面に対して先端突出部が屈折しているので、キャップ部内壁に密着するため、ループが爪上にしっかりと配置される。
【００８９】
（付記項３の目的）  内視鏡的粘膜切除を行う際に、キャップへ高周波スネアのループをルーピングする作業を簡便で確実に行う方法を提供する。
【００９０】
（付記項３の効果）  容易にループがキャップから外れない。
【００９１】
（付記項４の目的）  先端縁を含む平面が、挿入方向に対して直角なキャップに、ループをルーピングする作業を簡便で確実に行う。
【００９２】
（付記項４の効果）  ループ平面に対して先端突出部が略直角に屈折しているので、キャップ部内壁に密着するため、ループが爪上にしっかりと配置される。
【００９３】
（付記項５、８の目的）  先端縁を含むフランジ状の突起部の平面が、挿入方向に対して鋭角に屈折しているキャップに、ループをルーピングする作業を簡便で確実に行う。
【００９４】
（付記項５、８の効果）  ループ平面に対して先端突出部が鋭角に屈折しているので、キャップ部内壁に密着するため、ループが爪上にしっかりと配置される。
【００９５】
（付記項６、７の目的）  ループをきっちりとキャップの爪上に配置する。
【００９６】
（付記項６、７の効果）  上記目的の達成。
【００９７】
（付記項９の目的）  ループをきっちりとキャップの爪上に配置する。
【００９８】
（付記項９の効果）  上記目的の達成。
【００９９】
（付記項１０の目的）  ループの向きをキャップに合わせる。
【０１００】
（付記項１０の効果）  上記目的の達成。
【０１０１】
【発明の効果】
本発明によれば、ループ部の先端部にループの平面に対して交差する方向に突出させた先端突出部を設け、略円筒形状のキャップ部が先端に装着された内視鏡と組み合わせて使用される使用時に、ループ部がキャップ部の内周面に沿って円周上に広がって配置された際に、ループ部の屈折した先端突出部がキャップ部の内壁に適合することにより、ループ部がキャップ部のフランジ状の突起部にきちんと配置させることができる。そのため、ルーピング作業を簡便、確実に行うことができる。
【０１０２】
また、本発明の方法によれば、内視鏡用フードを内視鏡に装着したのち、高周波スネアを軟性チューブ内に挿入し、高周波スネアの可撓性シースの先端をキャップ部から外に突出させる高周波スネア挿入工程と、可撓性シースの先端をキャップ部の外に突出させた状態で、ループ部をシースから突出させるループ部突出工程と、ループ部を必要に応じて回転させ、ループ部の向きをキャップ部の突起部の平面に合わせて調節するループ部の向き調節工程と、ループ部をキャップ内に引き込むループ部引き込み工程と、キャップ部の先端縁を被押圧物に押し付けるキャップ部押し付け工程と、シースを押し込んでループ部をキャップ部の突起部上に密着させてループ部を突起部に沿って円周上に広がって配置させるループ部配置工程と、を具備するので、内視鏡的粘膜切除を行う際に、キャップへ高周波スネアのループをルーピングする作業を簡便で確実に行うことができる。
【図面の簡単な説明】
【図１】本発明の第１の実施の形態の高周波スネアを示す平面図。
【図２】第１の実施の形態の高周波スネアの先端部分を示す斜視図。
【図３】第１の実施の形態の高周波スネアの先端突出部をキャップ部の内壁部に係合させた状態を示す要部の縦断面図。
【図４】第１の実施の形態の高周波スネアの動作を説明するもので、（Ａ）は粘膜が負圧によりフード内に引き込まれ、切除部分が盛り上がった状態を示す要部の縦断面図、（Ｂ）は高周波スネアを挿入し、可撓性シースからスネアワイヤを繰り出した状態を示す要部の縦断面図、（Ｃ）は粘膜の盛り上がった切除部分の根元にループをセットした状態を示す要部の縦断面図、（Ｄ）はループを可撓性シースに引き込んで、切除部分の粘膜を引き絞っる途中の状態を示す要部の縦断面図、（Ｅ）はループを可撓性シースに引き込んで、切除部分の粘膜を引き絞った状態を示す要部の縦断面図。
【図５】本発明の第２の実施の形態を示すもので、（Ａ）は高周波スネアの先端部分を示す斜視図、（Ｂ）は高周波スネアを内視鏡用フードと組み合わせて使用される状態を示す要部の縦断面図、（Ｃ）は高周波スネアの先端突出部をキャップ部の内壁部に係合させた状態を示す要部の縦断面図。
【図６】本発明の第３の実施の形態を示す内視鏡用粘膜切除具の側面図。
【図７】（Ａ）は第３の実施の形態の内視鏡用粘膜切除具のキャップ部が内視鏡の挿入部の先端に固定される構造を示す縦断面図、（Ｂ）は（Ａ）のＬ１部を拡大して示す要部の縦断面図。
【図８】（Ａ）は第３の実施の形態の内視鏡用粘膜切除具のスネアワイヤがキャップ部の突起部に係留されている状態を示す斜視図、（Ｂ）は（Ａ）のＬ２部を拡大して示す要部の斜視図。
【図９】第３の実施の形態の内視鏡用粘膜切除具の軟性チューブの手元側のフック部を示す平面図。
【図１０】第３の実施の形態の内視鏡用粘膜切除具のスネアワイヤの構成を説明するために説明図。
【図１１】第３の実施の形態の内視鏡用粘膜切除具のキャップ部内に粘膜を吸引して粘膜の切除部分が隆起された状態を示すもので、（Ａ）は内視鏡の手元側操作部の周辺部を示す斜視図、（Ｂ）は内視鏡用粘膜切除具のキャップ部の先端開口部の周辺部を示す縦断面図。
【図１２】第３の実施の形態の内視鏡用粘膜切除具のスネアワイヤで緊縛した切除部分を引き絞る状態を示すもので、（Ａ）は内視鏡の手元側操作部の周辺部を示す斜視図、（Ｂ）は内視鏡用粘膜切除具のキャップ部の先端開口部の周辺部を示す縦断面図。
【図１３】第３の実施の形態の内視鏡用粘膜切除具のスネアワイヤで緊縛した切除部分を引き絞りながら、スネアワイヤに高周波電流を流して粘膜を切除する状態を示すもので、（Ａ）は内視鏡の手元側操作部の周辺部を示す斜視図、（Ｂ）は内視鏡用粘膜切除具のキャップ部の先端開口部の周辺部を示す縦断面図。
【図１４】本発明の第４の実施の形態の医療器具を示す側面図。
【図１５】第４の実施の形態のスネアワイヤをキャップ部のフランジ状の突起部上にルーピングする作業手順を説明するもので、（Ａ）は高周波スネアのシースを軟性チューブ内に挿入してキャップ部の外に突き出した状態を示す斜視図、（Ｂ）は高周波スネアのループをシースから突き出した状態を示す斜視図、（Ｃ）は操作部を回転させてループの平面がキャップ部の先端開口部の周縁の平面と平行になるように調整した状態を示す斜視図、（Ｄ）はシースを引いてループをキャップ部内に収容した状態を示す斜視図。
【図１６】（Ａ）は任意の粘膜にキャップ部の先端開口部を軽く押し付けて吸引した状態を示す斜視図、（Ｂ）はシースを押し出してループをキャップ部の先端開口部の周縁部位に押し付けることにより、ループをキャップ部のフランジ状の突起部上に配置させた状態を示す斜視図、（Ｃ）は吸引を解除し、粘膜からキャップ部を離すことによりルーピング作業が完了した状態を示す斜視図。
【図１７】第４の実施の形態の医療器具の使用時に粘膜を切除する作業を説明するもので、（Ａ）はキャップ部の先端開口部を粘膜に押し付けて吸引した状態を示す縦断面図、（Ｂ）はスネアワイヤがシース内に引き込まれて粘膜の切除部分の根元を緊縛した状態を示す縦断面図、（Ｃ）はスネアワイヤで緊縛した切除部分をキャップ部内から出して離した状態を示す縦断面図。
【符号の説明】
２…可撓性シース、３…操作ワイヤ、４…スネアワイヤ、５…ループ部、５ａ…平面、７…先端突出部、９…内視鏡、１１…キャップ部。
【図１】
2004230053.tif 000003
【図２】
2004230053.tif 000004
【図３】
2004230053.tif 000005
【図４】
2004230053.tif 000006
【図５】
2004230053.tif 000007
【図６】
2004230053.tif 000008
【図７】
2004230053.tif 000009
【図８】
2004230053.tif 000010
【図９】
2004230053.tif 000011
【図１０】
2004230053.tif 000012
【図１１】
2004230053.tif 000013
【図１２】
2004230053.tif 000014
【図１３】
2004230053.tif 000015
【図１４】
2004230053.tif 000016
【図１５】
2004230053.tif 000017
【図１６】
2004230053.tif 000018
【図１７】
2004230053.tif 000019